(57)【要約】      （修正有）【課題】煩雑な作業を必要とせず、かつ制御装置の機能追加も必要としないで、端末装置の動作を制御する制御信号を送信することができる制御システムを提供する。【解決手段】制御システム１は、伝送路５を介して互いに接続された、制御装置２と、設定器８と、人感センサ７とを含む。設定器８は、人感センサ７の識別情報と、人感センサ７の動作を制御する制御情報を、伝送メッセージ中のデータ部に含めて伝送路５を介して制御装置２宛てに出力する。人感センサ７は、伝送路５を監視し、伝送路５に伝送される伝送メッセージのデータ部に自己の識別情報が含まれるかを判定し、自己の識別情報がデータ部に含まれるときは、データ部の制御情報を用いた処理を行い、自己の識別情報が伝送メッセージのデータ部に含まれていないときは、データ部の制御情報を用いた処理を行わない。【選択図】図１
2020120229.tif 000002
【特許請求の範囲】
【請求項１】
伝送路を介して互いに接続された、制御装置と、第１の端末装置と、第２の端末装置とを含み、前記制御装置と前記第１の端末装置間及び前記制御装置と前記第２の端末装置間で通信可能な制御システムであって、
前記第１の端末装置は、前記第２の端末装置の識別情報と、前記第２の端末装置の動作を制御する制御情報を、伝送メッセージ中のデータ部中に含めて前記伝送路を介して前記制御装置宛てに出力し、
前記第２の端末装置は、前記伝送路を監視し、前記伝送路に伝送される前記伝送メッセージの前記データ部中に前記識別情報が含まれるかを判定し、前記識別情報が前記データ部中に含まれるときは、前記データ部中の前記制御情報を用いた処理を行い、前記識別情報が前記伝送メッセージの前記データ部中に含まれていないときは、前記データ部中の前記制御情報を用いた処理を行わない、
制御システム。
【請求項２】
伝送路に接続可能なセンサ装置であって、
前記伝送路を監視し、前記伝送路に伝送される伝送メッセージのデータ部中に自己の識別情報が含まれるかを判定する判定部と、
前記自己の識別情報が前記データ部中に含まれるときは、前記データ部中の制御情報を用いた処理を行い、前記自己の識別情報が前記データ部中に含まれていないときは、前記制御情報を用いた処理を行わない処理実行部と、
を有する、センサ装置。
【発明の詳細な説明】
【技術分野】
【０００１】
本発明の実施形態は、制御システム及びセンサ装置に関する。
【背景技術】
【０００２】
一般に、制御システムは、制御装置と、１又は２以上の端末装置とを有し、制御装置と、１又は２以上の端末装置とは、信号伝送路により接続される。端末装置は、人感センサなどのセンサ装置や、照明装置などの被制御装置である。例えば、制御装置は、伝送路を介してセンサ装置等からの状態信号等を受信する。制御装置は、受信した状態信号等に基づいて、伝送路を介して被制御装置へ制御信号を送信する。
【０００３】
端末装置には、受信した制御信号に基づいて所定の動作を行う端末装置や、動作条件などの設定値を有しかつその設定値を設定変更できる端末装置もある。例えば端末装置がセンサ装置である場合、設定値の情報が、センサ装置のメモリなどの記憶部に記憶され、かつその設定値の情報を変更可能なものがある。
【０００４】
その設定値の変更方法には、端末装置に設けられた設定値設定用ディップスイッチなどの設定スイッチにより行う方法、設定値変更のための制御情報を、赤外線受信部を有する端末装置へ赤外線を発する赤外線リモコンを用いて行う方法、等がある。
【０００５】
しかし、その設定値を変更する場合、端末装置が設置された位置あるいは場所が倉庫などの建物内の高所の位置などであるとき、設定作業は、容易ではない。例えば、作業者が高所で作業できるように、作業者が立って設定スイッチの切り換え作業をするための台などを建物内に設置したりするための煩雑な作業が必要となる。また、赤外線リモコンを用いる場合、赤外線の信号が到達する距離に制限があったり、信号の送受信するための環境によっては混信などを避ける必要があったりするため、赤外線が届く位置あるいは場所を捜すなどの煩雑な作業が必要となる。
【０００６】
さらに、制御装置に端末装置の設定値の設定変更する機能を持たせることも可能であるが、制御装置がそのような機能を元々有していない場合には、制御装置に、端末装置の設定値の設定変更機能の追加、例えばソフトウエアプログラムの追加が必要となり、コストがかかる。
【先行技術文献】
【特許文献】
【０００７】
【特許文献１】特開２０１０−２３２７９９号公報
【発明の概要】
【発明が解決しようとする課題】
【０００８】
そこで、本実施形態は、煩雑な作業を必要とせず、かつ制御装置の機能追加も必要としないで、端末装置の動作を制御する制御信号を送信することができる制御システム及びセンサ装置を提供することを目的とする。
【課題を解決するための手段】
【０００９】
実施形態制御システムは、伝送路５を介して互いに接続された、制御装置と、第１の端末装置と、第２の端末装置とを含み、前記制御装置と第１の端末装置間及び前記制御装置と第２の端末装置間で通信可能である。前記第１の端末装置は、前記第２の端末装置の識別情報と、前記第２の端末装置の動作を制御する制御情報を、伝送メッセージ中のデータ部中に含めて前記伝送路を介して前記制御装置宛てに出力する。第２の端末装置は、前記伝送路を監視し、前記伝送路に伝送される前記伝送メッセージの前記データ部中に前記識別情報が含まれるかを判定し、前記識別情報が前記データ部中に含まれるときは、前記データ部中の前記制御情報を用いた処理を行い、前記識別情報が前記伝送メッセージの前記データ部中に含まれていないときは、前記データ部中の前記制御情報を用いた処理を行わない。
【発明の効果】
【００１０】
従って、本実施形態によれば、煩雑な作業を必要とせず、かつ制御装置の機能追加も必要としないで、端末装置の動作を制御する制御信号を送信することができる制御システム及びセンサ装置を提供することができる。
【図面の簡単な説明】
【００１１】
【図１】本実施形態に係わる照明制御システムの構成図である。
【図２】本実施形態に係わる設定器の構成を示すブロック図である。
【図３】本実施形態に係わる人感センサの構成を示すブロック図である。
【図４】本実施形態に係わる、人感センサの設定値を変更するときの設定器の表示画面の例を示す図である。
【図５】本実施形態に係わる、人感センサの設定値の変更処理の流れの例を示すフローチャートである。
【図６】本実施形態に係わる、送信処理により伝送路に伝送される伝送メッセージの構成を示す図である。
【図７】本実施形態に係わる、人感センサにおける設定値変更処理の流れの例を示すフローチャートである。
【発明を実施するための形態】
【００１２】
本実施形態の制御システムは、伝送路を介して互いに接続された、制御装置と、第１の端末装置と、第２の端末装置とを含み、前記制御装置と第１の端末装置間及び前記制御装置と第２の端末装置間で通信可能である制御システムであって、前記第１の端末装置は、前記第２の端末装置の識別情報と、前記第２の端末装置の動作を制御する制御情報を、伝送メッセージ中のデータ部中に含めて前記伝送路を介して前記制御装置宛てに出力し、前記第２の端末装置は、前記伝送路を監視し、前記伝送路に伝送される前記伝送メッセージの前記データ部中に前記識別情報が含まれるかを判定し、前記識別情報が前記データ部中に含まれるときは、前記データ部中の前記制御情報を用いた処理を行い、前記識別情報が前記伝送メッセージの前記データ部中に含まれていないときは、前記データ部中の前記制御情報を用いた処理を行わない。
【００１３】
以下、図面を参照して実施形態を説明する。
（構成）
図１は、本実施形態に係わる照明制御システムの構成図である。本実施形態の制御システム１は、制御装置２と、制御される端末装置である複数の照明装置３と、を含む照明制御システムである。各照明装置３は、信号線４ａにより、端末装置である点滅器４と接続されている。各照明装置３は、電源４ｂに接続された点滅器４からの駆動信号に応じてオンオフ動作を行う。制御装置２と点滅器４は、伝送路５により互いに通信可能に接続されている。
【００１４】
制御システム１は、さらに、壁スイッチ６と、人感センサ７を含む。壁スイッチ６と人感センサ７も、伝送路５に接続されている。端末装置である壁スイッチ６は、居室の壁に取り付けられ、複数の操作ボタン（図示せず）を有している。その居室の利用者は、各操作ボタンを操作して、所望の照明装置３をオンオフすることができる。
壁スイッチ６は、操作ボタンが操作されると、操作された操作ボタンに対する操作に応じた操作信号を制御装置２へ送信する。操作信号は、壁スイッチ６から伝送路５を介して制御装置２へ送信される。すなわち、制御システム１は、伝送路５を介して互いに接続された、制御装置２と、複数の端末装置を含む。制御装置２は、各端末装置と通信可能である。ここでは、複数の端末装置間で通信はできず、通信は、制御装置２と各端末装置間でのみ行われる。
【００１５】
制御装置２は、受信した操作信号において指定された１又は２以上の照明装置３への制御信号を点滅器４へ伝送路５を介して送信する。点滅器４は、複数のリレー回路を有し、制御信号に基づいて、指定された１又は２以上の照明装置３へオン又はオフの駆動信号を出力する。
【００１６】
端末装置である人感センサ７は、人が発する赤外線に基づいて、人の有無を検知するセンサ装置である。人感センサ７は、動作条件などの設定値を格納する記憶装置２２（図３）を有している。ここでは、設定値として、保持時間ＴＳが、人感センサ７の記憶装置２２に記憶される。人感センサ７は、赤外線の検出器の出力信号の変化を検知、すなわち人を検知すると、伝送路５を介して、設定された保持時間ＴＳ、検知信号を制御装置２へ送信する。すなわち、保持時間ＴＳは、赤外線の変化を検出してから、検知信号を継続して出力する時間、あるいは人感センサが出力する検知信号を保持する時間である。言い換えれば、保持時間ＴＳは、制御情報であり、人感センサ７の動作条件についての情報である。そして、制御装置２は、受信した検知信号に基づいて、複数の照明装置３の少なくとも１つを制御する。
【００１７】
例えば、複数の照明装置３が居室の天井に設置され、利用者は、壁スイッチ６を操作して所望の照明装置３を点灯させたり、消灯させたりすることができる。また、居室内の所定のエリアの天井には、人感センサ７が設置され、そのエリアに人がいることを人感センサ７が検知すると、制御装置２は、受信した検知信号に基づいてそのエリアの照明装置３をオンし、そのエリアに人が居なくなると、そのエリアの照明装置３をオフする。
【００１８】
壁スイッチ６には、設定器８が接続可能となっている。設定器８は、表示器８ａと操作器８ｂを有している。操作器８ｂは、複数の操作ボタンを含む。ケーブル８ｃが、設定器８から延出している。ケーブル８ｃは、先端に、壁スイッチ６のコネクタ６ａと接続可能なコネクタ８ｄを有している。
すなわち、壁スイッチ６は、伝送路５に接続され、複数の照明装置３の少なくとも１つの動作を指示するための操作部として操作器８ｂを有するスイッチ装置である。端末装置としての設定器８は、壁スイッチ６に接続可能であって、後述するように、壁スイッチ６を介して、伝送メッセージを送信することができる。
【００１９】
制御システム１を管理する者が、コネクタ８ｄにより設定器８を壁スイッチ６に接続して、壁スイッチ６の動作及び設定内容を確認したり、制御装置２と通信をしたりすることができる。なお、ここでは、設定器８と壁スイッチ６間は、ケーブル８ｃによる有線で通信可能に接続されているが、赤外線などを利用した無線で通信可能に接続されるようにしてもよい。
【００２０】
なお、図１では、説明を簡単にするために、制御システム１は、１つの人感センサ７を有しているが、点線で示すように複数の人感センサを有していてもよい。さらになお、制御システム１は、ビルなどの複数の居室の複数の照明装置３を制御するものでもよく、その場合、壁スイッチ６及び人感センサ７は、居室毎に配置される。
【００２１】
図２は、設定器８の構成を示すブロック図である。設定器８は、プロセッサ１１と、記憶装置１２と、通信インターフェース１３とを有し、さらに上述した表示器８ａと操作器８ｂも有している。表示器８ａと操作器８ｂの各々は、図示しないインターフェースを介してプロセッサ１１と接続されている。
【００２２】
プロセッサ１１は、中央処理装置（ＣＰＵ）を含み、記憶装置１２に記憶された各種プログラムを実行可能となっている。記憶装置１２には、後述する人感センサ７の設定値を変更する変更プログラム１２ａも記憶されている。なお、プロセッサ１１は、ＦＰＧＡ（Ｆｉｅｌｄ  Ｐｒｏｇｒａｍｍａｂｌｅ  Ｇａｔｅ  Ａｒｒａｙ）などの電子回路により構成されていてもよい。
【００２３】
設定器８は、ケーブル８ｃに接続された通信インターフェース（以下、通信Ｉ／Ｆと略す）１３を介して、伝送路５へのデータの送信及び伝送路５からのデータの受信をすることができる。各種プログラムに応じて、表示器８ａには、各種情報が表示されたり、各種データを入力するための画面が表示されたりする。
【００２４】
図３は、人感センサ７の構成を示すブロック図である。人感センサ７は、プロセッサ２１と、記憶装置２２と、検出素子２３と、通信Ｉ／Ｆ２４とを有している。検出素子２３は、例えば赤外線を検出する焦電センサであり、図示しないインターフェースを介してプロセッサ２１と接続されている。
【００２５】
プロセッサ２１は、プロセッサ１１と同様に、中央処理装置（ＣＰＵ）を含み、記憶装置２２に記憶された各種プログラムを実行可能となっている。記憶装置２２は、保持時間ＴＳの情報を記憶する記憶領域２２ａを有している。なお、プロセッサ２１は、ＦＰＧＡ（Ｆｉｅｌｄ  Ｐｒｏｇｒａｍｍａｂｌｅ  Ｇａｔｅ  Ａｒｒａｙ）などの電子回路により構成されていてもよい。
【００２６】
人感センサ７は、伝送路５に接続可能な通信Ｉ／Ｆ２４を介して、伝送路５へのデータの送信及び伝送路５からのデータの受信をすることができる。人感センサ７は、検出素子２３により検出された赤外線の変化を検出し、検出された赤外線の量に変化があると、設定された保持時間ＴＳの間、伝送路５を介して検知信号を制御装置２へ送信する。検出された赤外線の量に変化がなくなると、最後に赤外線の量の変化があったときから保持時間ＴＳが経過すると、人感センサ７は、検知信号の送信を停止する。
【００２７】
図４は、人感センサ７の設定値を変更するときの設定器８の表示画面の例を示す図である。図４に示す画面は、設定器８の表示器８ａの表示画面に表示される設定値変更画面Ｇである。設定値変更画面Ｇは、センサ番号ＳＮと保持時間ＴＳとを入力するための２つの入力フィールド３１、３２を有する。
【００２８】
設定器８を操作する操作者は、操作器８ｂを操作して、カーソルを入力フィールド３１に移動させて、設定値を変更する人感センサ７のセンサ番号ＳＮを、操作器８ｂを操作して入力することができる。さらに、操作者は、操作器８ｂを操作して、カーソルを入力フィールド３２に移動させて、変更後の保持時間ＴＳを、操作器８ｂを操作して入力する。図４の設定値変更画面Ｇでは、センサ番号ＳＮが「００１」で、保持時間ＴＳが「５」（秒）と入力されている。センサ番号ＳＮは、制御システム１において使用される、端末装置の識別情報であり、例えば、識別コード（ＩＤ）、あるいはアドレスデータである。
【００２９】
操作者は、センサ番号ＳＮと保持時間ＴＳとを入力した後、壁スイッチ６を介して、操作器８ｂを操作して入力したセンサ番号ＳＮと保持時間ＴＳの情報を制御装置２へ送信することができる。
【００３０】
図５は、人感センサ７の設定値の変更処理の流れの例を示すフローチャートである。図５は、設定器８において実行される。設定器８の操作者は、操作器８ｂを操作して、人感センサ７の設定値を変更する変更処理プログラムの実行指示を設定器８に入力すると、プロセッサ１１は、図５の設定値変更処理プログラムを記憶装置１２の記憶領域１２ａから読み出して実行する。
【００３１】
プロセッサ１１は、設定値を変更するための設定値変更画面Ｇ（図４）を生成して表示器８ａに表示する（ステップ（以下、Ｓと略す）１）。操作者は、表示された設定値変更画面Ｇに対して、操作器８ｂを操作して、センサ番号ＳＮと保持時間ＴＳの情報を入力することができる。
【００３２】
操作者が操作器８ｂを操作して、入力された情報の送信指示をしない限り、処理は、Ｓ１に戻り、操作者は、センサ番号ＳＮと保持時間ＴＳの情報を入力したり変更したりすることができる。操作者が操作器８ｂを操作して、入力された情報の送信指示を設定器８に入力すると、プロセッサ１１は、入力されたセンサ番号ＳＮと保持時間ＴＳの情報を制御装置２へ送信し（Ｓ３）、設定値を変更する処理は終了する。すなわち、端末装置としての設定器８は、他の端末装置である人感センサ７の識別情報としてのセンサ番号ＳＮと、人感センサ７の動作を制御する制御情報である設定値情報としての保持時間ＴＳの情報を、伝送メッセージ中のデータ部４３中に含めて伝送路５を介して制御装置２宛てに出力する。
【００３３】
図６は、Ｓ３の処理により伝送路５に伝送される伝送メッセージの構成を示す図である。伝送メッセージ４１は、伝送路５上で送受信されるメッセージであり、所定のフォーマットを有している。伝送メッセージ４１は、送信元アドレスと、宛先アドレスと、制御コマンド信号などを含む。制御装置２と、点滅器４と、壁スイッチ６と、人感センサ７との間では、その所定のフォーマットの伝送メッセージにより、データの送受信を互いに行うことができる。
【００３４】
伝送メッセージ４１は、ヘッダ部、送信元アドレスなども含むが、図６では、宛先アドレス部４２とデータ部４３のみを示し、他のデータは、図示されていない。伝送メッセージ４１において、宛先アドレス部４２は、伝送メッセージ４１を送る相手の宛先アドレス（ＡＤＤ）の情報を含むフィールドである。データ部４３は、設定値変更画面Ｇにおいて入力された、センサ番号ＳＮと保持時間ＴＳの情報（ＤＡＴＡ）を含むフィールドである。
【００３５】
例えば、ある照明装置３を点灯させるために壁スイッチ６のある操作ボタンが利用者により押されると、壁スイッチ６は、利用者の操作に応じたコマンド信号を含む伝送メッセージを制御装置２へ送信する。そのときの伝送メッセージ４１は、宛先アドレス部４２には制御装置２のアドレスが含まれ、データ部４３には利用者が指定した照明装置３をオンするためのコマンド信号が含まれる。制御装置２は、自己宛ての伝送メッセージ４１を受信すると、データ部４３に含まれるコマンド信号に応じた処理を行う。上記の場合、照明装置３をオンするコマンド信号を生成して、点滅器４に送信する。
【００３６】
以上のように、伝送路５上の伝送メッセージ４１は、宛先アドレスを含む宛先アドレス部４２と、コマンド信号などを含むデータ部４３を含む。伝送路５に接続された各装置は、宛先アドレスに基づいて伝送メッセージ４１が自己宛てのメッセージであるかを判定することができる。各装置は、受信した伝送メッセージが自己宛てのメッセージであるときには、データ部４３に含まれるデータに基づく処理を実行する。言い換えれば、制御装置２だけでなく、点滅器４、壁スイッチ６、人感センサ７等の各装置は、受信した伝送メッセージが自己宛てのメッセージでないときには、その伝送メッセージ４１を無視して、何の処理も実行しない。
【００３７】
また、ここでは、後述するような伝送メッセージ４１のデータ部４３中の制御情報に基づいて人感センサ７に所定の動作を行わせるために、データ部４３のフォーマットは、予め決められている。すなわち、人感センサ７に設定値の変更をさせるために、人感センサ７を識別するための識別情報（例えば人感センサ７のセンサ番号ＳＮ）がデータ部４３中の所定の位置に配置され、変更する設定値の設定値情報もデータ部４３中の別の所定の位置に配置される。
【００３８】
よって、人感センサ７は、受信した伝送メッセージが自己宛てのメッセージでないときであっても、データ部４３中に、自己の識別情報（例えば人感センサ７のセンサ番号ＳＮ）の有無を判定することができる。さらに、人感センサ７は、受信した伝送メッセージが自己宛てのメッセージでないときであっても、データ部４３中に自己の識別情報が含まれているときには、データ部４３中から設定値情報を抽出することもできる。
【００３９】
なお、ここでは、人感センサ７の設定値を変更するときに、設定器８が生成する伝送メッセージ中の宛先アドレスは、制御装置２のアドレスであるが、伝送メッセージは、特定の１つのアドレスを指定しないブロードキャストなどの形式でもよい。
【００４０】
図７は、人感センサ７における設定値変更処理の流れの例を示すフローチャートである。上述したように、人感センサ７は、人を検知すると、伝送路５を介して、検知信号を制御装置２へ送信するが、図７の処理は、人の検知処理とは別に、人感センサ７の動作中、常時実行されている。そのため、プロセッサ２１は、伝送路５において伝送されている伝送メッセージを常に監視している。
【００４１】
プロセッサ２１は、伝送路５を介して受信したメッセージが、自己宛ての伝送メッセージであるかを判定する（Ｓ１１）。自己宛ての伝送メッセージであるかの判定は、伝送メッセージに含まれる宛先アドレスに基づいて行われる。宛先アドレスが人感センサ７のアドレスと一致するか否かにより、自己宛ての伝送メッセージであるか否かの判定が行われる。
【００４２】
宛先アドレスが人感センサ７のアドレスと一致するとき（Ｓ１１：ＹＥＳ）、受信したメッセージは自己宛ての伝送メッセージであるので、プロセッサ２１は、コマンドなどを含む伝送メッセージに応じた処理を実行し（Ｓ１２）、処理は、Ｓ１１に戻る。
【００４３】
宛先アドレスが人感センサ７のアドレスと一致しないとき（Ｓ１１：ＮＯ）、プロセッサ２１は、受信した伝送メッセージ中のデータ部４３が、自己のセンサ番号ＳＮを含むかを判定する（Ｓ１３）。すなわち、プロセッサ２１において実行されるＳ１３の処理は、伝送路５を監視し、伝送路５に伝送される伝送メッセージのデータ部４３中に自己の識別情報が含まれるかを判定する判定部を構成する。
【００４４】
上述したように、設定器８が、壁スイッチ６を介して人感センサ７の設定値を変更する伝送メッセージを制御装置２へ送信する（Ｓ３）と、その伝送メッセージ４１の宛先アドレス部４２には、制御装置２のアドレスが設定されているので、その伝送メッセージ４１は、設定器８から、壁スイッチ６を介して制御装置２へ送信される。制御装置２は、伝送メッセージ４１を受信するが、自己において何かの処理の実行を指示する指示を含まないので、制御装置２では、何も実行されない。
【００４５】
しかし、人感センサ７では、データ部４３が自己のセンサ番号ＳＮを含むと判定されると（Ｓ１３：ＹＥＳ）、プロセッサ２１は、データ部４３に含まれる設定値に、記憶装置２２の記憶領域２２ａに記憶されている保持時間ＴＳの情報を書き換える動作を行う（Ｓ１４）。Ｓ１４の後、処理は、Ｓ１１に戻る。データ部４３が自己のセンサ番号ＳＮを含まないと判定されると（Ｓ１３：ＮＯ）、処理は、Ｓ１１に戻る。
よって、Ｓ１１，Ｓ１３及びＳ１４の処理は、自己の識別情報がデータ部４３中に含まれるときは、データ部４３中の制御情報を用いた処理を行い（Ｓ１４）、自己の識別情報がデータ部４３中に含まれていないときは、制御情報を用いた処理を行わない処理実行部を構成する。
【００４６】
以上のように、端末装置としての人感センサ７は、伝送路５を監視し、伝送路５に伝送される伝送メッセージのデータ部４３中に自己の識別情報が含まれるかを判定し、自己の識別情報がデータ部４３中に含まれるときは、データ部４３中の制御情報を用いた処理を行い、自己の識別情報が伝送メッセージのデータ部４３中に含まれていないときは、データ部４３中の制御情報を用いた処理を行わない。
よって、設定器８において、所定の画面からセンサ番号ＳＮと設定値を入力することにより、人感センサ７の設定値の変更を行うことができる。
【００４７】
従って、上述した実施の形態によれば、従来のような煩雑な作業を必要とせず、かつ制御装置の機能追加も必要としないで、端末装置の動作を制御する制御信号を送信することができる制御システム及びセンサ装置を提供することができる。
【００４８】
特に、上述した実施形態のように、設定器８が、人感センサ７と直接通信を行うことなく、人感センサ７に設定値を伝えることができ、その結果、人感センサ７は、自己の設定値を変更することができる。
【００４９】
そのため、例えば、既に設置した伝送路にセンサ装置を追加したときに、そのセンサ装置に上述した図７の処理機能を持たせれば、設定器８により、追加したセンサ装置の設定値の変更をすることができる。
【００５０】
なお、上述した実施形態の制御システム１は、センサ装置として人感センサ７を用いて、人感センサ７の設定値を変更する照明制御システムであるが、センサ装置としては、照度センサなどの他の種類のセンサ装置でもよい。例えば、センサ装置が照度センサであるときは、照度センサの校正値の情報を、設定器８から、同様に照度センサへ伝えて、設定値の変更をさせることができる。さらに、端末装置としての点滅器４の設定値を、同様にして、設定器８から、同様に点滅器４へ伝えて、設定値の変更をさせるようにしてもよい。
【００５１】
さらになお、上述した制御システムは、照明制御システムであるが、上述した実施形態は、ビルの空調制御システム、その他のシステムにも適用することができる。
【００５２】
また、上述した実施形態では、設定器８を壁スイッチ６に接続して、設定器８は、壁スイッチ６を介して伝送メッセージを送信しているが、壁スイッチ６が、設定器８の設定値変更機能を有してもよい。例えば、壁スイッチ６が一つの機能として、上述した人感センサ７への設定値変更のための伝送メッセージを送信する機能を有し、設定器８がなくても、壁スイッチ６が上述したような設定値変更の伝送メッセージを送信できるようにしてもよい。
【００５３】
さらにまた、上述した実施形態は、端末装置としてのセンサ装置に、その設定値を変更させるが、端末装置に他の動作をさせるようにしてもよい。例えば、端末装置が、増設された照明装置であれば、設定器８からその照明装置のオンオフ動作をさせるようにしてもよい。
【００５４】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５５】
１  制御システム、２  制御装置、３  照明装置、４  点滅器、４ａ  信号線、４ｂ  電源、５  伝送路、６  壁スイッチ、６ａ  コネクタ、７  人感センサ、８  設定器、８ａ  表示器、８ｂ  操作器、８ｃ  ケーブル、８ｄ  コネクタ、１１  プロセッサ、１２  記憶装置、１２ａ  変更プログラム、１３  通信インターフェース、２１  プロセッサ、２２  記憶装置、２２ａ  記憶領域、２３  検出素子、２４  通信インターフェース、３１  入力フィールド、３２  入力フィールド、４１  伝送メッセージ、４２  宛先アドレス部、４３  データ部。
【図１】
2020120229.tif 000003
【図２】
2020120229.tif 000004
【図３】
2020120229.tif 000005
【図４】
2020120229.tif 000006
【図５】
2020120229.tif 000007
【図６】
2020120229.tif 000008
【図７】
2020120229.tif 000009